(57)【要約】本発明は識別情報を有する物体を提供する方法に関する。ホログラムを設け、このホログラムから、相互に空間的に別個にされた少なくとも第１および第２のホログラムパターンを再生する。ここでこのホログラムは、第１および第２のホログラムパターンが一般的に１つの同じ方向において、しかし異なる面において再生されるように作成される。
2004523789.tif 000002
【特許請求の範囲】
【請求項１】
識別情報を有する物体を提供する方法であって、
ホログラムを設け、当該ホログラムから、相互に空間的に別個にされた少なくとも第１および第２のホログラムパターンを再生する形式の方法において、
当該第１および第２のホログラムパターンが一般的に１つの同じ方向において、しかし異なる面において再生可能であるように前記ホログラムを作成する、
ことを特徴とする、識別情報を有する物体を提供する方法。
【請求項２】
前記ホログラムパターンの少なくとも１つによって、機械で読出し可能なコードをあらわす、請求項１記載の方法。
【請求項３】
前記ホログラムパターンの少なくとも１つによって、視覚的に検出可能なパターンをあらわす、請求項１または２記載の方法。
【請求項４】
前記ホログラムをコンピュータ作成する、請求項１から３までのいずれか１項記載の方法。
【請求項５】
ホログラム内の第１の領域を第１のホログラムパターンに対して設け、第２の領域を前記ホログラムパターンに対して設ける、請求項１から４までのいずれか１項記載の方法。
【請求項６】
前記第１および第２の領域は相互に入り組んでいる、請求項１から５までのいずれか１項記載の方法。
【請求項７】
共通の領域を第１および第２のホログラムパターンに対して設ける、請求項１から６までのいずれか１項記載の方法。
【請求項８】
前記ホログラムを反復的な計算ステップによって定める、請求項１から７までのいずれか１項記載の方法。
【請求項９】
前記第１および第２のホログラムパターンを、当該第１および第２のホログラムパターンが異なる読出し手段によって読出されるように遠く相互に離して定める、請求項１から８までのいずれか１項記載の方法。
【請求項１０】
前記ホログラムを唯一の書き込みビームを用いて作成する、請求項１から９までのいずれか１項記載の方法。
【請求項１１】
前記物体を個々にあらわす情報、殊にポートレート、アドレス、および／または製造情報を設ける、請求項１から１０までのいずれか１項記載の方法。
【請求項１２】
前記ホログラムを担体内に刻印する、請求項１から１１までのいずれか１項記載の方法。
【請求項１３】
物体上の識別情報を含むホログラムを読出す装置であって、
相互に空間的に別個にされた少なくとも第１および第２のホログラムパターンが再生され、
前記第２のホログラムパターンも再生可能な方向において、少なくとも前記第１のホログラムパターンを再生する読出し光源を有している、
ことを特徴とする、物体上の識別情報を含むホログラムを読出す装置。
【請求項１４】
物体上の識別情報を含むホログラムを読出す装置であって、
相互に空間的に別個にされた少なくとも第１および第２のホログラムパターンが再生され、
前記第２のホログラムパターンも再生可能な方向において、少なくとも前記第１のホログラムパターンを再生する読出し光源を有している、
ことを特徴とする、物体上の識別情報を含むホログラムを読出す装置。
【請求項１５】
少なくとも１つのホログラムパターン再生手段が少なくとも１つのホログラムパターンに対して設けられている、請求項１３または１４記載の装置。
【請求項１６】
１つより多いホログラムパターンに対して、ホログラムパターン再生手段が設けられている、請求項１３から１５までのいずれか１項記載の装置。
【請求項１７】
前記ホログラムパターン再生手段は投影面である、請求項１３または１４記載の装置。
【請求項１８】
感光性領域、殊にＣＣＤによって前記ホログラムパターン再生手段が構成されており、ここに前記ホログラムパターンがその再生のために投影される、請求項１３から１５までのいずれか１項記載の装置。
【請求項１９】
さらにデータ処理ユニットが設けられており、感光性領域によって検出されたパターンが評価される、請求項１３から１８までのいずれか１項記載の装置。
【請求項２０】
ホログラムを収容するエリアを有するデータ担体であって、
ここから少なくとも第１および第２のホログラムパターンが、当該第１および第２のホログラムパターンが一般的に１つの同じ方向において、しかし異なる面において再生可能であるように再生される、
ことを特徴とするデータ担体。
【請求項２１】
ホログラムを収容するエリアはポリマー材料、殊に事前に延伸されたポリマー材料によって形成されている、請求項２０記載のデータ担体。
【発明の詳細な説明】
【０００１】
本発明は独立請求項の上位概念に関する。従って本発明は、識別情報をホログラムによって設ける方法に関する。
【０００２】
今日では通例、ホログラムは既に一般的である。物体を例えば本物であると識別するために、キャッシュカード、証明書、例えばソフトウェア用の包装材料および入場券等上に簡易なホログラムが設けられている。従来のホログラムでの問題は、ホログラムがしばしば不十分である偽造安全性しか提供しないことである。さらに識別情報はしばしば、例えば個々の物体を識別するのに充分に精密でない。
【０００３】
ホログラムを物体上に設けることは既に提案されている。ここでホログラはホログラムを支持するエリアを有する。このエリアには干渉パターンが与えられており、この干渉パターンはホログラフィック像を形成し、ここで異なるホログラフィック像が種々の方向で形成される。これには、２つの異なる方向から光りが放射され、場合によってこれらの画像が組み合わせられることが必要である。この場合、装置コストは不所望に高い。
【０００４】
本発明の目的は、商業的使用に対して新たなものを提供することである。
【０００５】
上述の目的は、独立請求項に記載されている特徴部分の構成を用いることで達成される。有利な構成は従属請求項に記載されている。
【０００６】
本発明はますはじめに、識別情報を有する物体を提供する方法を提案する。ここにはホログラムが設けられ、このホログラムから、相互に空間的に別個にされた少なくとも第１および第２のホログラムパターンが再生される。ここでこのホログラムは次のように構成されている。すなわち第１および第２のホログラムパターンが一般的に１つの同じ方向において、しかし異なる面（Ｅｂｅｎｅｎ）において再生されるように構成されている。
【０００７】
従って本発明の第１の本質的な基本認識は、異なる面にホログラムパターンを作成することによって特に重要な識別情報を設けることができるという認識にある。ここで第１の面に投影されるホログラムは、これとは別個にされた第２の面におけるホログラムパターンの再生を次の場合に有意には妨害することはないことが認識されている。すなわち読出し面が相互に充分に遠く離れて位置している場合である。このような認識によって、第１および第２のホログラムによる物体の識別を次の場合にも可能にすることができる。すなわち光が唯一の方向から放射され、しかもホログラムに対するエリアが小さい場合である。
【０００８】
有利な別の形態では、ホログラムパターンのうちの少なくとも１つは機械で読出し可能なコードである。このようなコードは場合によっては次のように構造化される。すなわちその存在が次のような場合にも容易には、例えば裸眼では識別されないように構造化される。すなわち投影スクリーンが偶然に正しい面に動かされた場合にもである。これによって、その存在が容易には確認されない識別情報を物体上に設けることができる。
【０００９】
さらに、ホログラムパターンのうちの１つが視覚的に検出可能なパターンをあらわすようにすることができる。これは有利である。なぜならこれによって最も容易に可能な物体識別が可能になるからである。異なる面で再生可能な第１および第２のホログラムパターンだけよりも多くのホログラムパターンを設けることができることを指摘しておく。
【００１０】
このホログラムは次のようにホログラム支持体上に設けられる。すなわち相互に別個にされた第１および第２の領域がホログラム支持エリア上に設けられようにである。この場合、第１および第２のホログラムパターン内で使用される部分領域をチェス盤状に相互に接続させる、または他の方法で相互に結合させることができる。
【００１１】
第１および第２のホログラムパターンに対する情報が全体的に比較的大きな領域にわたって分けられるこのような結合は既に、傷に対する抵抗性の向上および損傷に対する防御に寄与している。
【００１２】
しかし有利には、唯一の領域が第１および第２のホログラムパターンに対して、さらに場合によっては別のホログラムパターンに対しても設けられる。この場合そのような領域は次のような干渉パターンを有する。すなわちこの干渉パターンから、異なる面において異なるホログラムパターンが投影される干渉パターンである。このような適切な干渉パターンを定めること自体は公知である。有利にはホログラムを与える干渉パターンの反復計算である。このために単に例として、論文「Ｆｒｅｓｎｅｌ ｐｉｎｇ−ｐｏｎｇ ａｌｇｏｒｉｔｈｍ ｆｏｒ ｔｗｏ−ｐｌａｎｅ ｃｏｍｐｕｔｅｒ−ｇｅｎｅｒａｔｅｄ ｈｏｌｏｇｒａｍ ｄｉｓｐｌａｙ（ Ｒ．Ｇ． Ｄｏｒｓｃｈら著、Ａｐｐｌｉｅｄ Ｏｐｔｉｃｓ、第３３巻、Ｎｒ． ５、８６９頁から）」を示す。
【００１３】
有利には、第１のホログラムの干渉パターンは次のように定められる。すなわち第１および第２のホログラムパターンが、異なる読出し手段によって読出すことができるほど遠く相互に離れて位置するように定められる。このような異なる読出し手段は、例えばビーム分配器によって反射された光ないしは透過された光を有する。択一的に唯一の読出し手段、例えば投影スクリーンを２つの面の間でシフト可能に保つことができる。
【００１４】
ホログラム自身は有利には、唯一の書き込みビームを用いて、コンピュータ作成されたホログラムとして作成される。物体をあらわす情報としては、物体のユーザのポートレート、アドレス、患者データ、または例えば技術的な物体の場合にはその製造に関係する情報のような個々をあらわす情報が設けられる。
【００１５】
書き込みビームは殊にレーザービームである。材料、とりわけ大きなエリアを事前に露光するビームと、事前露光によって例えば事前に加熱された領域内をポイント的に書き込むビームから成る２重ビームの使用が可能である。
【００１６】
特に物体の列に相互に同一の識別情報が設けられるべき場合、ホログラムを支持体内に刻印することが可能である。入り組んでいる場合には第１の部分を事前に刻印して、他の部分を個々に書き込むことができる。
【００１７】
本発明はさらに、殊に方法クレームから出発するような識別情報を含むホログラムの読出し装置にも関する。ここでこの装置は、第２のホログラムパターンも再生される方向において少なくとも第１のホログラムパターンを再生する読出し光源を有する。すなわち２つのホログラムパターンを再生するのに唯一の読出し光源だけが必要である。
【００１８】
この装置では、少なくとも１つのホログラムパターン再生手段が確実に設けられている。これは殊に投影スクリーンのことであり得る。さらにおよび／または択一的に感光性領域、とりわけＣＣＤを設けることができ、殊に機械で読出し可能なコードをあらわすホログラムパターンがその焦点面で、または焦点面近くで検出される。
【００１９】
感光性領域が設けられている場合、この装置がデータ処理ユニットを有し、感光性領域によって検出されたパターンを直接的にこの装置内で評価するのは有利である。
【００２０】
方法クレームのいずれか１項に記載されたホログラムを収容するエリアを有するデータ担体、ないしはこの種のホログラムを収容するデータ担体の使用に対しても保護が要求される。とりわけ適切なデータ担体はポリマー材料を含み、このポリマー材料内にホログラムが入れられる。このポリマー材料は事前に延伸されたポリマー材料、殊に事前に延伸されたポリプロピレンであり得る。物体の防護手段は物体から離れて作成されて、その後物体上に配置される。
【００２１】
本発明を以下で例として図面に基づいて説明する。
【００２２】
図１は、本発明によるホログラムの読出し時の図である。
【００２３】
図１では一般的に参照番号１によって示された読出し装置は、物体３に属しているホログラム支持体３ａ上のホログラム２を読出す。この読出し装置は単独のレーザ４を有しており、このレーザの光ビーム５は適切な光学系６ａおよび６ｂによってホログラム２上に偏向される。この場合ここで１次の回折光は、０次の光とは異なって、光学系８を通って生じる。これは、回折された光の受光時に０次の光を早期に制限する（Ａｂｇｒｅｎｚｕｎｇ）ことによって信号雑音比を改善する。しかしそれ自体は強制的には必要でない。
【００２４】
ホログラム２は、シングルビーム書き込み装置によって作成されたコンピュータ作成ホログラムである。ホログラム２の干渉パターンは次のように選択される。すなわちホログラム支持体３からの２つの異なる距離に、２つのシャープな、しかし異なるホログラムパターンが作成されるように選択される。
【００２５】
物体３はここではキャッシュカードのことである。このカード上には事前に延伸されたポリマーから成る領域３ａが設けられている。この領域はホログラム２を支持している。ホログラムの干渉パターンはここでホログラム支持体３ａの全領域にわたって延在している。
【００２６】
レーザ４は可視光を放射する。可視光はレンズ６ａによって視準され、偏向ミラー６ｂによって鋭角にホログラム２上に放射される。シャープな放射が行われるので、０次の回折光７の主反射は、ホログラム内のコード化された２つのホログラムパターンを定める別の光学装置８には入射しない。
【００２７】
光学系８はビーム分配器８ａを有している。このビーム分配器はホログラム２からの１次に回折された光があらわれる方向に配置されている。
【００２８】
ビーム分配器８ａからの第１の距離ａに、透過光路内に投影スクリーン８ｂが存在する。ここで間隔ａは次のように選択される。すなわち第１のホログラムパターンがシャープに投影スクリーン上に結像されるように選択される。さらに、ビーム分配器によって反射された光に対する反射光路内には、間隔ｂで配置されたＣＣＤ列８ｃが存在する。このＣＣＤ列は、機械で読出し可能なコードを識別する識別ユニット（図示されていない）と接続されている。光学的な経路の長さａおよびｂは異なっている。
【００２９】
読出し装置１は以下のようにして用いられる：
まずはじめに、ホログラム２を有する物体３が、ホログラム２とともに所定の位置に配置され、レーザ４によって露光される。次に、眼９によって示されているように、第１のホログラムパターンが投影スクリーン８ｂに視覚的にコントロールされる。
【００３０】
同時に、別の光源を必要としないで、第２のホログラムパターンがＣＣＤ８ｃで検出され、これによって投影された機械コードが復号されて、その情報内容が検査される。
【００３１】
この装置では、視覚的に可視である第１のホログラムパターンが作成されている場合でも、ホログラムの単なる観察によって、機械によって復号可能な別のホログラムパターンが設けられていることが認識されないのは有利である。殊に２つより多い面における、２つより多いホログラムパターンがコード化可能であることを指摘しておく。
【００３２】
可視光の他に不可視光、殊に赤外レーザダイオードからの不可視光も使用されることを言及しておく。
【図面の簡単な説明】
【図１】
本発明によるホログラムの読出し時の図である。
【国際公開パンフレット】
2004523789.tif 000003
2004523789.tif 000004
2004523789.tif 000005
2004523789.tif 000006
2004523789.tif 000007
2004523789.tif 000008
2004523789.tif 000009
2004523789.tif 000010
2004523789.tif 000011
2004523789.tif 000012
2004523789.tif 000013
2004523789.tif 000014
2004523789.tif 000015
2004523789.tif 000016
2004523789.tif 000017
【国際調査報告】
2004523789.tif 000018
2004523789.tif 000019
2004523789.tif 000020
2004523789.tif 000021
2004523789.tif 000022
2004523789.tif 000023